(57)【特許請求の範囲】
【請求項１】
開口部の周囲に接離して前記開口部を開閉するドアに設けられたドア開閉機構であって、前記ドアを開く際に把持する操作部を有するとともに前記ドアの回動軸と軸方向が同じで前記操作部よりもドアの中央側に配された支軸により回動自在に設けられるハンドルを備え、前記操作部を力点として前記支軸を支点とするてこの作用点が、前記支軸の軸方向から平面的に見て前記支軸に対して前記操作部と反対側に延びて前記ハンドルと一体に形成され、前記ドアを開く際に、前記操作部を把持して引くことにより該作用点が回動して前記開口部の周囲を押圧し、前記ドアが前記ハンドルと同じ方向に回動して前記開口部の周囲から所定間隔離隔されることを特徴とするドア開閉機構。
【請求項２】
前後にスライドすることにより開口部の周囲に接離して前記開口部を開閉するドアに設けられたドア開閉機構であって、前記ドアを開く際に把持されるとともに前記ドアの左右方向の略中央に配される操作部を有して前記操作部よりも下方に配された軸方向が左右方向の支軸により回動自在に設けられるハンドルを備え、前記操作部を力点として前記支軸を支点とするてこの作用点が、前記支軸の軸方向から平面的に見て前記支軸に対して前記操作部と反対側に延びて前記ハンドルと一体に形成され、前記ドアを開く際に、前記操作部を把持して引くことにより該作用点が回動して前記開口部の周囲を押圧し、前記ドアが前方にスライドして前記開口部の周囲から所定間隔離隔されることを特徴とするドア開閉機構。
【請求項３】
前記てこの作用点が前記ドアの下方または側方に設けられるとともに、前記てこの力点の軌跡と作用点の軌跡とが異なる面内に形成されることを特徴とする請求項１または請求項２に記載のドア開閉機構。
【請求項４】
前記ハンドルは自由端側及び前記支軸側から裏面に手指を入れて把持できることを特徴とする請求項１〜請求項３のいずれかに記載のドア開閉機構。
【請求項５】
前記ハンドルに同期して前記支軸と同軸の軸心まわりに回動するアームを備え、前記アームが前記てこの作用点となって前記開口部の周囲を押圧することを特徴とする請求項１〜請求項４のいずれかに記載のドア開閉機構。
【請求項６】
前記ハンドルに同期して前記支軸と同軸の軸心まわりに回動するアームと、前記アームに係合して前記アームの回動により前記開口部の周囲に接離するようにスライド自在に設けられるスライド部材とを備え、前記スライド部材が前記てこの作用点となって前記開口部の周囲を押圧することを特徴とする請求項１〜請求項５のいずれかに記載のドア開閉機構。
【請求項７】
前記てこの作用点が前記開口部の周囲を押圧して前記ドアが前記開口部の周囲から所定間隔離隔される時の操作力よりも、該所定間隔離隔した後に前記ドアを開く時の操作力が小さいことを特徴とする請求項１〜請求項６のいずれかに記載のドア開閉機構。
【発明の詳細な説明】
【０００１】
【発明の属する技術分野】
本発明は冷蔵庫等のドアに設けられるドア開閉機構に関し、更に詳しくは、ドアを開口部の周囲から所定間隔離隔させる手段を設けたドア開閉機構に関するものである。
【０００２】
【従来の技術】
従来のこの種のドア開閉機構としては、例えば、特開平１０−７３３６７号公報に開示されたものが知られている。図１２はこのドア開閉機構の平面断面図、図１３は側面断面図である。同図に示すように、このドア開閉機構１００は、キャビネット２００に設けられた開口部の周囲に接離して開口部を開閉するドア３００に設けられている。なお、ドア３００の内面周縁部にはガスケット４００が設けられており、このガスケット４００に内蔵された磁石５００によりガスケット４００がキャビネット２００の開口部の周囲に固定されるようになっている。
【０００３】
ドア開閉機構１００は、ドア３００の一側に設けられた内側及び外側ハンドル１１０、１１１と、これら内側及び外側ハンドル１１０、１１１の一側に回動自在にヒンジ結合された取手部材１２０と、この取手部材１２０を押さえる力によってシーソー運動されるよう内側及び外側ハンドル１１０、１１１にヒンジ結合された回転カム１３０と、この回転カム１３０のシーソー運動によってスライド動作されつつ、ドア３００の内面に設けられたガスケット４００とキャビネット２００との磁力による接触を離隔させるよう内側及び外側ハンドル１１０、１１１に設けられたスライド軸１４０と、取手部材１２０の押さえ動作を解除する際、スライド軸１４０を原状復帰させるとともに、スライド軸１４０によって回転カム１３０を原状復帰させるよう内側及び外側ハンドル１１０、１１１に設けられたスプリング１５０とから成っている。
【０００４】
使用者がドア３００を開けるために内側及び外側ハンドル１１０、１１１を取るとともに取手部材１２０を押さえると、取手部材１２０は、内側及び外側ハンドル１１０、１１１の外端とヒンジ結合された一端側のヒンジ突起１２１を中心に、他端側のプッシュ突起１２２が内側ハンドル１１０と外側ハンドル１１１の内部に深く挿入されるよう回動する。
【０００５】
この際、プッシュ突起１２２は、内側ハンドル１１０と外側ハンドル１１１の結合内部にヒンジピン１３１を介してヒンジ結合された回転カム１３０の第１接触突起面１３２を図１２の反時計まわり方向に回転するよう押し、回転カム１３０の円周面に対して第１接触突起面１３２と互いに対応する位置に突設された第２接触突起面１３３が同時に反時計まわり方向に回転する。
【０００６】
これによって、スライド軸１４０が第２接触突起面１３３によって押されるが、スライド軸１４０は、その前端側に広い面積を有する接触面１４１が、キャビネット２００の前方側に接触することによって前進スライド動作ができなくなり、かかるスライド軸１４０の停止動作によって、キャビネット２００とガスケット４００の相互接触面が所定間隔Ｈに離隔されるようドア３００がキャビネット２００から所定間隔開けられるとともに、ドア３００が開けられた幅だけスライド軸１４０の後端に設けられたスプリング１５０がスライド軸１４０の後端に突設されたスプリング係止突起１４２に当たって圧縮される。
【０００７】
そして、使用者が手に持っている内側及び外側ハンドル１１０、１１１を引っ張ると、ドア３００は磁石５００の磁力影響を受けずに少ない力で開けることができる。
【０００８】
【発明が解決しようとする課題】
しかしながら、上述した従来のドア開閉機構は、最初にドア３００を所定間隔開けるために大きな握力を必要とし、握力の弱い人にとっては、操作しづらいという問題点が有る。
また、体重をかけて取手部材１２０を引くにしても、指先の握力がかなり必要で、体重をかけての開放も困難である。
【０００９】
操作力を小さくするには、回転カム１３０の第１接触突起面１３２の位置をヒンジピン１３１から長くしなければならないが、このようにすると、回転カム１３０全体が大きくなり、デザイン的に見苦しくなるとともに、取手部材１２０を大きく動かす必要が生じ、操作性が悪くなるという問題点が有る。
【００１０】
さらに、スライド軸１４０がキャビネット２００を押す位置は、構造上、ドアハンドル開閉手段１００の近くに限られ、デザイン的に制約があるという問題点も有る。
【００１１】
本発明は、上述した問題点を解決するためになされたものであって、その目的は、僅かな操作力でドアを開くことができ、かつデザインの向上を図ったドア開閉機構を提供することにある。
【００１２】
【課題を解決するための手段】
上述した目的を達成するために、本発明は、開口部の周囲に接離して前記開口部を開閉するドアに設けられたドア開閉機構であって、前記ドアを開く際に把持する操作部を有するとともに前記ドアの回動軸と軸方向が同じで前記操作部よりもドアの中央側に配された支軸により回動自在に設けられるハンドルを備え、前記操作部を力点として前記支軸を支点とするてこの作用点が、前記支軸の軸方向から平面的に見て前記支軸に対して前記操作部と反対側に延びて前記ハンドルと一体に形成され、前記ドアを開く際に、前記操作部を把持して引くことにより該作用点が回動して前記開口部の周囲を押圧し、前記ドアが前記ハンドルと同じ方向に回動して前記開口部の周囲から所定間隔離隔されることを特徴とするものである。
また本発明は、前後にスライドすることにより開口部の周囲に接離して前記開口部を開閉するドアに設けられたドア開閉機構であって、前記ドアを開く際に把持されるとともに前記ドアの左右方向の略中央に配される操作部を有して前記操作部よりも下方に配された軸方向が左右方向の支軸により回動自在に設けられるハンドルを備え、前記操作部を力点として前記支軸を支点とするてこの作用点が、前記支軸の軸方向から平面的に見て前記支軸に対して前記操作部と反対側に延びて前記ハンドルと一体に形成され、前記ドアを開く際に、前記操作部を把持して引くことにより該作用点が回動して前記開口部の周囲を押圧し、前記ドアが前方にスライドして前記開口部の周囲から所定間隔離隔されることを特徴とするものである。
【００１３】
このような構成によれば、てこの原理によって僅かな操作力でドアを所定間隔開くことができるとともに、てこの力点の位置と作用点の位置とを離すことができるため、作用点を目立ちにくい箇所に設定することができるとともにデザインの自由度が増し、美しくデザイン処理することが可能となる。
【００１４】
なお、てこの力点から支点までの距離は、支点から作用点までの距離よりも長くすることが好ましい。
【００１５】
また、てこの支点の位置を力点の位置よりもドアの中央部側に配置し、力点に与えられる力の方向がドアの開方向に一致するようにすると、ドアが開き易くなるので好ましい。
【００１６】
また、てこの作用点の位置をドアの下方または側方にすると、特に作用点が目立ちにくくなるので好ましい。
【００１７】
また、ドアに回転軸を介して回動自在に取り付けられたハンドルを有している場合には、このハンドルを、自由端側から操作部の裏面側に指を入れて操作するように形成するとともに、回転軸側からも操作部の裏面側に指を入れて操作することができるように形成すると、操作性が向上するので好ましい。
【００１８】
【発明の実施の形態】
以下、本発明の具体的な実施形態を図面を参照しながら説明する。
図１は本発明のドア開閉機構を備えた冷蔵庫の正面図、図２〜図８は本発明の第１の実施形態を示しており、図２は図１のＡ部拡大図、図３は図１のＢ−Ｂ線断面図、図４は図１のＣ−Ｃ線断面図、図５は図１のＤ−Ｄ線断面図、図６は図１のＥ−Ｅ線断面図、図７は図５のハンドルを引いた状態を示す図、図８は図６の要部拡大図であり、ハンドルを引いた際のアームの作用を示す図である。
【００１９】
図１に示す冷蔵庫は、内部が上下方向に複数個の室に仕切られた箱型のキャビネット１を有しており、各室は前面に開口部を有し、最も上の室の前面に水平方向に回動自在なドア２が設けられている。図６に示すように、このドア２は右側端側が垂直方向に延びるドア回転軸３を介してキャビネット１に枢支されており、このドア回転軸３まわりに回動して開口部を開閉する。
【００２０】
図３に示すように、キャビネット１は、樹脂製の箱体の外面を鋼板４により覆ったもので、この鋼板４の前端部は内方に直角に折り曲げられて開口部の周囲を覆っている。ドア２の内面の周縁部には全周に亙ってガスケット５が設けられており、その内部にはマグネット６が内蔵されており、このマグネット６は磁力により開口部の周囲の鋼板４を引きつけ、ガスケット５を鋼板４に密着させてドア２を緊密な閉止状態に保つ。
【００２１】
図１に示すように、ドア２の自由端側にはドア開閉機構７が設けられており、このドア開閉機構７は、ドア２にハンドルベース８を介して回動自在に取り付けられたハンドル９と、ドア２の下方に配置された細長い略直方体状のアーム１０と、ハンドル９とアーム１０とを連結するシャフト１１とから成っている。
【００２２】
ハンドルベース８は前面及び左側面が開口した箱状のもので、図２に示すように、頂壁１２、底壁１３、右側壁１４、及び後壁１５を有し、ドア２の自由端側の上下端から離れた位置に形成された切欠部に嵌着されている。ハンドルベース８の開口面の周囲にはフランジ１６が形成されている。
【００２３】
図２に示すように、ハンドルベース８の頂壁１２の右側端部には円形の貫通孔１７が設けられており、この貫通孔１７には、後述する回転軸３６が嵌合し、これによって回転軸３６が固定されるようになっている。また、ハンドルベース８の底壁１３の右側端部には、貫通孔１７と対向するように、円形の貫通孔１８が設けられており、この貫通孔１８には、後述するハンド９の回転軸２９が回転自在に嵌合する。
【００２４】
また、ハンドルベース８の内部の上方には、右側壁１４の内面から左側方に向けて突出した軸受部１９が形成されており、この軸受部１９には、貫通孔１７と対向するように、略円形の貫通孔２０が設けられており、この貫通孔２０には回転軸３６が摺動自在に嵌合する。
【００２５】
ハンドル９は、逆コの字形のハンドル本体２１と、このハンドル本体２１の下部に嵌着されるシャフト支持部材２２とから成っている。ハンドル本体２１は、垂直方向に延びる操作部２３と、その上端から側方に向けて突出した上支持部２４と、操作部２３の下端から上支持部２３と同じ方向に突出した下支持部２５とから成っている。
【００２６】
上支持部２４の先端部には円形の貫通孔２６が設けられており、この貫通孔２６には、回転軸３６が回転自在に嵌合する。下支持部２５の先端部の上面には、貫通孔２６と対向するように、上方に向けて突出した円柱状の凸部２７が形成されており、この凸部２７には、ハンドル本体２１を時計回り方向に付勢するコイル状のバネ２８が取り付けられている。
【００２７】
シャフト支持部材２２は、下支持部２５の突出方向と背反する方向にスライドさせて下支持部２５に嵌着するように形成されており、その先端部の下面には、凸部２７と同軸になるように、下方に向けて突出した円柱状の回転軸２９が形成されている。
【００２８】
また、シャフト支持部材２２は、先端部に、回転軸２９と同軸状に設けられ、丸棒状のシャフト１１の上端部が嵌合する円形のシャフト取付孔３０を有しており、このシャフト取付孔３０には、シャフト１１の上端部が、接着やキー等の手段により、回転しないように固定される。
【００２９】
図２に示すように、アーム１０は、ドア２の下方に形成されたアーム収容室３１内に配設されている。アーム１０の一端側の下面には、下方に向けて突出した円柱状の回動軸３２が形成されており、この回動軸３２が、アーム収容室３１の底面に形成された円形の軸受孔３３に回転自在に嵌合し、アーム１０が水平に支持された状態で水平方向に回動するようになっている。
【００３０】
また、アーム１０の一端側には、その上面から下方に向けて、シャフト１１の下端部が嵌合する円形のシャフト挿入孔３４が回動軸３２と同軸になるように形成されており、このシャフト挿入孔３４には、シャフト１１の下端部が、接着やキー等の手段により、回転しないように固定される。
【００３１】
なお、ドア２におけるハンドルベース８が取り付けられる切欠部とアーム収容室３１の間の部分の内部には、シャフト１１を通すことができるように空洞部が設けられており、アーム収容室３１の上面には、シャフト１１の下端部を受け入れるための開口部３５が形成されている。
【００３２】
ドア開閉機構７は、以下の手順によりドア２に取り付けられる。
まず、ハンドルベース８をドア２の切欠部に嵌合し、ビス等によりドア２に固定する。また、アーム１０をアーム収容室３１内に挿入し、アーム１０の回動軸３２をアーム収容室３１の底面に形成された軸受孔３３に嵌合する。
【００３３】
次に、ハンドル本体２１から分離しているシャフト支持部材２２の孔３０にシャフト１１の上端部を挿入固定し、シャフト１１の下端部をハンドルベース８の底壁１３の貫通孔１８に挿入し、シャフト１１を下方に押し込み、シャフトの下端部をアーム収容室３１内に突出させてアーム１０のシャフト挿入孔３４に挿入固定するとともに、シャフト支持部材２２の回転軸２９をハンドルベース８の貫通孔１８に嵌合する。
【００３４】
次に、ハンドル本体２１の下支持部２５の凸部２７にバネ２８を嵌め込み、バネ２８の一端を下支持部２５上の所定箇所に係合する。そして、このハンドル本体２１の下支持部材２５を、シャフト１１の上端部に固定されているシャフト支持部材２２にスライドさせて嵌着するとともに、バネ２８の他端をハンドルベース８上の所定箇所に係合する。
【００３５】
そして、ピン状の回転軸３６をハンドルベース８の軸受部１９の下側から貫通孔２０及びハンドル本体２１の上支持部２４の貫通孔２６に通し、さらに回転軸３６の先端部をハンドルベース８の頂壁１２の貫通孔１７に押し込む。これによって、ハンドル９が回転軸３６、２９を介してハンドルベース８に回転自在に支持された状態となり、ドア開閉機構７の取り付けが終了する。
【００３６】
ハンドル９は、通常、操作部２３の自由端側から操作部２３の裏面側に指を入れて操作するが、回転軸２９、３６側からも操作部２３の裏面側に指を入れて操作することができるように形成されており、左右どちらの手でも操作することができるため、操作性が良い。
【００３７】
図６に示すように、キャビネット１における開口部の周囲のアーム１０に対向する部位には、アーム１０の他端に接する突起３７が形成されている。なお、図４に示す、ハンドル９の操作部２３を操作する力の作用点から凸部２７の軸心（回転軸２９、３６の軸心と同心）までの距離Ｌ１は、図６に示す、アーム１０における突起３７との当接点からシャフト１１の軸心（回転軸２９、３６の軸心と同心）までの距離Ｌ２よりも長くなっている。
【００３８】
次に、上述した構成のドア開閉機構７の作用を説明する。
ハンドル９の操作部２３を手で持ち、手前に引くと、シャフト１１を介してアーム１０に図６の反時計回り方向の回転力が与えられ、アーム１０の他端が突起３７を押圧し、これによってドア２にドア回転軸３まわりの回転力が与えられ、ガスケット５がマグネット６の磁力に抗して開口部の周囲の鋼板４から離隔し始める。
【００３９】
図７に示すように、ハンドル９を、その一端がハンドルベース８に当接して回動が阻止されるようになるまで引くと、図８に示すように、ドア２がキャビネット１の開口部の周囲から所定間隔Ｄ離隔した状態となる。この状態からハンドル９をさらに手前に引くと、ドア２がドア回転軸３を中心として反時計まわり方向に回動し、ドア２により覆われていたキャビネット１の開口部が開放され、被収納物を出し入れ可能となる。
【００４０】
なお、最初にドア２を所定間隔Ｄ開く際には、上述したように、ハンドル９の操作部２３を操作する力の作用点から凸部２７の軸心（回転軸２９、３６の軸心）までの距離Ｌ１（図４参照）が、アーム１０におけるキャビネット１の突起３７との当接点からシャフト１１の軸心（回転軸２９、３６の軸心）までの距離Ｌ２（図６参照）よりも長くなっているため、てこの原理により、僅かな操作力で開くことができる。また、アーム１０がハンドル９から離れたドア２の下側に配置されているため、目立ちにくく、美しくデザイン処理することができる。
【００４１】
また、ドア２をキャビネット１に対して所定間隔Ｄ開かれた状態からさらに開く場合には、ドア２のキャビネット１に対する磁力接触状態が解除されているため、ドア２を少ない力で開くことができる。さらに、本実施形態では、ハンドル９の操作部２３に与えられる力の方向がドアの開方向に一致するようにしているため、最初にドア２を所定間隔開く動作と、その後、ドア２を大きく開く動作とがスムーズに連続し、ドア２を開き易い。
【００４２】
次に、本発明の第２の実施形態について説明する。
図９〜図１１は本発明の第２の実施形態を示しており、図９は図１のＡ部拡大図、図１０は図１のＥ−Ｅ線断面図、図１１は図１０の要部拡大図であり、ハンドルを引いた際のスライド部材の作用を示す図である。
なお、本実施形態において、第１の実施形態に対応する部分には同一の符号を付してあり、同一の部分については説明を省略してある。
【００４３】
図９、１１に示すように、本実施形態では、アーム１０の他端側に、厚みが薄くなった薄肉部３９が形成されており、この薄肉部３９の上面にオーバーラップするように細長い板状のスライド部材３８が配置されている。スライド部材３８は、前後方向に延びる一対のガイドリブ４０、４１により前後方向に摺動自在に案内されており、その一端はキャビネット１における開口部の周囲の一部に対向している。
【００４４】
スライド部材３８には、横方向に延びる長孔４２が形成されており、この長孔４２には、アーム１０の薄肉部３９の上面に立設された円柱状のピン４３が摺動自在に係合している。なお、図４に示す、ハンドル９の操作部２３を操作する力の作用点から凸部２７の軸心（回転軸２９、３６の軸心）までの距離Ｌ１が、図１１に示す、アーム１０におけるスライド部材３８との接続点からシャフト１１の軸心（回転軸２９、３６の軸心）までの距離Ｌ３よりも長くなっている。
【００４５】
このような構成の冷蔵庫において、ハンドル９の操作部２３を手で持って手前に引くと、ハンドル９に連結されたシャフト１１を介してアーム１０に図１１の反時計まわり方向の回転力が与えられ、スライド部材３８がキャビネット１に向かって摺動し、その一端がキャビネット１に押し当てられる。スライド部材３８がキャビネット１を押すことにより、ドア２にドア回転軸３まわりの回転力が与えられ、ガスケット５がマグネット６の磁力に抗してキャビネット１の開口部の周囲の鋼板４から離隔し始める。
【００４６】
ハンドル９を所定ストローク引くと、ハンドルの回動が停止し、図１１に示すように、ドア２がキャビネット１に対して所定間隔ｄ開かれた状態となる。この状態からハンドル９をさらに手前に引くと、ドア２がドア回転軸３を中心として反時計まわり方向に回動し、ドア２により覆われていた冷蔵室の開口部が開放され、被収納物を出し入れ可能となる。
【００４７】
なお、最初にドア２を所定間隔Ｄ開く際には、上述したように、ハンドル９の操作部２３を操作する力の作用点から凸部２７の軸心（回転軸２９、３６の軸心）までの距離Ｌ１（図４参照）が、アーム１０におけるスライド部材３８との接続点からシャフト１１（回転軸２９、３６の軸心）の軸心までの距離Ｌ３（図１１参照）よりも長くなっているため、てこの原理により、ドア２を僅かな操作力で開くことができるのは第１の実施形態と同様である。
【００４８】
また、スライド部材３８がハンドル９から離れたドア２の下側に配置されているため、目立ちにくく、美しくデザイン処理することができるのも第１の実施形態と同様である。さらに、本実施形態の場合、キャビネット１におけるスライド部材３８が当接する箇所を平坦にすることができるため、清掃し易く、かつデザイン処理が容易であるという利点を有する。
【００４９】
なお、上記実施形態は、ドアがドア回転軸を介してキャビネットに回動自在に取り付けられた場合の実施形態であるが、ドアが引き出し式で前後方向に移動させて開閉するものである場合は、ハンドルをドアの左右方向中央部の上方に設け、ハンドルを軸支する回転軸をハンドルの操作部よりもドアの中央部側に水平に配置し、アームやスライド部材をドアの左右方向で側方の少なくとも片側に設けるようにすると、上記と同様の効果が得られ、さらに、ハンドルの上方から操作部に指を入れることができるため、腕のひじよりも低い位置にハンドルが位置する（例えば、引き出し式のドアがキャビネットの中央部付近よりも下方に設けられているとき）場合、腕の重さを利用してハンドルを下方に動かすことができるため、さらに操作性が向上する。
【００５０】
また、ドアがキャビネットの上面に水平に配置されるとともに後端側が水平方向に延びるドア回転軸を介してキャビネットに回動自在に取り付けられた場合には、ハンドルをドアの前端側に設け、ドアを軸支する回転軸をハンドルの操作部よりもドアの中央部側にドア回転軸と平行に配置するとともに、アームやスライド部材をドアの左右方向で側方の少なくとも片側に設けるようにすると、上記と同様の効果が得られる。
【００５１】
なお、本発明のドア開閉機構は、冷蔵庫以外の機器にも適用可能である。
【００５２】
【発明の効果】
以上説明したように、本発明のドア開閉機構によれば、てこの原理によって僅かな操作力でドアを所定間隔開くことができるとともに、てこの力点の位置と作用点の位置とを離すことができ、作用点を目立ちにくい箇所に設定することができるとともにデザインの自由度が増すため、美しくデザイン処理することが可能となる。
【００５３】
また、てこの支点の位置を力点の位置よりもドアの中央部側に配置し、力点に与えられる力の方向がドアの開方向に一致するようにすると、ドアが開き易くなり、操作性が向上する。
【００５４】
また、てこの作用点の位置をドアの下方または側方にすると、特に作用点が目立ちにくくなり、美しくデザイン処理することができるため、外観が向上する。
【００５５】
また、ドアに回転軸を介して回動自在に取り付けられたハンドルを有し、このハンドルが、自由端側から操作部の裏面側に指を入れて操作するように形成されているとともに、前記回転軸側からも前記操作部の裏面側に指を入れて操作することができるように形成されている場合には、ハンドルを自由端側からも回転軸側からも操作することができるため、操作性が向上する。
【図面の簡単な説明】
【図１】本発明のドア開閉機構を備えた冷蔵庫の正面図。
【図２】本発明の第１実施形態を示す図であり、図１のＡ部拡大図。
【図３】本発明の第１実施形態を示す図であり、図１のＢ−Ｂ線断面図。
【図４】本発明の第１実施形態を示す図であり、図１のＣ−Ｃ線断面図。
【図５】本発明の第１実施形態を示す図であり、図１のＤ−Ｄ線断面図。
【図６】本発明の第１実施形態を示す図であり、図１のＥ−Ｅ線断面図。
【図７】本発明の第１実施形態を示す図であり、図５のハンドルを引いた状態を示す図。
【図８】本発明の第１実施形態を示す図であり、図６の要部拡大図（ハンドルを引いた際のアームの作用を示す図）。
【図９】本発明の第２実施形態を示す図であり、図１のＡ部拡大図。
【図１０】本発明の第２実施形態を示す図であり、図１のＥ−Ｅ線断面図。
【図１１】本発明の第２実施形態を示す図であり、図１０の要部拡大図（ハンドルを引いた際のスライド部材の作用を示す図）。
【図１２】従来の冷蔵庫の要部の平面断面図。
【図１３】従来の冷蔵庫の要部の側面断面図。
【符号の説明】
１  キャビネット
２  ドア
７  ドア開閉機構
９  ハンドル
１０  アーム
１１  シャフト
２３  ハンドルの操作部
３８  スライド部材
【図１】
0003597424.tif 000002
【図２】
0003597424.tif 000003
【図３】
0003597424.tif 000004
【図４】
0003597424.tif 000005
【図５】
0003597424.tif 000006
【図６】
0003597424.tif 000007
【図７】
0003597424.tif 000008
【図８】
0003597424.tif 000009
【図９】
0003597424.tif 000010
【図１０】
0003597424.tif 000011
【図１１】
0003597424.tif 000012
【図１２】
0003597424.tif 000013
【図１３】
0003597424.tif 000014